(57)【要約】【課題】  湿潤療法、特にラップ療法において用いる創傷部の治療用パッドを提供することを目的とする。【解決手段】  湿潤療法において用いる創傷部の治療用パッドであって、治療用パッドは、複数の孔部を備え、創傷部を湿潤状態に保持する保持層と、孔部を通して、創傷部からの滲出液を吸収する吸収層と、を備えており、保持層と吸収層は少なくともその縁部において固着しており、保持層の皮膚との接触面の一部または全部にワセリンが塗布可能である、治療用パッドである。【選択図】  図１
2008200341.tif 000002
【特許請求の範囲】
【請求項１】
湿潤療法において用いる創傷部の治療用パッドであって、
前記治療用パッドは、
複数の孔部を備え、創傷部を湿潤状態に保持する保持層と、
前記孔部を通して、前記創傷部からの滲出液を吸収する吸収層と、を備えており、
前記保持層と吸収層は少なくともその縁部において固着しており、
前記保持層の皮膚との接触面の一部または全部にワセリンが塗布可能である、
ことを特徴とする治療用パッド。
【請求項２】
湿潤療法において用いる創傷部の治療用パッドであって、
前記治療用パッドは、
複数の孔部を備え、創傷部を湿潤状態に保持する保持層と、
前記孔部を通して、前記創傷部からの滲出液を吸収する吸収層と、を備えており、
前記保持層と吸収層は少なくともその縁部において固着しており、
前記保持層の皮膚との接触面の一部または全部にワセリンが塗布されている、
ことを特徴とする治療用パッド。
【請求項３】
前記治療用パッドは、更に、
前記治療用パッドを皮膚に固定させるための被覆材を備えており、
前記被覆材は、
前記吸収層の前記保持層と接触していない側の面において前記吸収層と固着しており、前記吸収層及び前記保持層よりも大きな大きさで、前記被覆材の前記吸収層と接触していない部分の一部または全部には、前記治療用パッドを皮膚に接着させるための粘着性物質が塗布されている、
ことを特徴とする請求項１または請求項２に記載の治療用パッド。
【請求項４】
前記保持層はラップまたはビニール素材のいずれかにより構成されている、
ことを特徴とする請求項１から請求項３のいずれかに記載の治療用パッド。
【発明の詳細な説明】
【技術分野】
【０００１】
本発明は湿潤療法、好適にはラップ療法において用いる創傷部の治療用パッドに関する。
【背景技術】
【０００２】
近年、人体に発生した創傷に対して、湿潤療法と呼ばれるコンセプトの治療法が提唱されている。湿潤療法とは、従来のように創傷部を乾燥状態に保つのではなく、湿潤状態に保つことによって、創傷部の再生を図るものである（非特許文献１）。
【０００３】
このコンセプトを用いた医療用具も存在しており、例えばコンバテック社が製造している「ディオアクティブ」と呼ばれる創傷被覆材がある。
【０００４】
また上述のような医療用具のほか、湿潤療法を実践する民間療法の一つとしてラップ療法と呼ばれるものがある。このラップ療法は創傷部を湿潤状態に保持するために、上述の「ディオアクティブ」のような医療用具を用いるのではなく、食品用ラップを創傷部に貼付することで湿潤状態を保持し、創傷部の再生を図るものである。
【０００５】
【非特許文献１】夏井  睦、”新しい創傷治療”、[online]、インターネット＜ＵＲＬ：http://www.wound-treatment.jp/＞
【発明の開示】
【発明が解決しようとする課題】
【０００６】
このように湿潤療法は近年注目されている治療方法であるが、医療用具製造会社が販売する医療用具を用いた治療を行うには医師の診断と処方が必要であり、その費用が実費であること、また処方される枚数にも保険適用内では制限があること、などから気軽に使用することが出来るものではない。
【０００７】
また上述のような医療用具である製品を用いた場合、創傷部からの滲出液が多いと、製品の素材が溶解し、漏出してしまう。溶解した時点が交換時期となるが、製品全体が一様に溶解するのではなく、その一部は皮膚にしっかりと貼り付いている部分も存在する。そのため製品を創傷部から剥離する場合、溶解している部分は剥離させやすいが、溶解していない部分には、正常な皮膚が引っ張られ、傷が付く場合もある。健康な者であれば正常な皮膚が引っ張られた場合であっても問題がないが、例えば寝たきりの老人の褥瘡（床ずれ）に上述の医療用具における製品を用いた場合、老人の皮膚は弱いことから極めて傷つきやすく、褥瘡以外に新たな創傷部が発生しかねない。
【０００８】
その点、上述のラップ療法は食品用ラップを用いているので極めて容易に入手でき、また皮膚の損傷等も起こりにくいことから、民間療法として広く定着している。また湿潤状態をより維持するために、創傷部に食品用ラップをそのまま貼付するのではなく、ワセリンを食品用ラップに塗布し、ワセリンが創傷部に接触するように食品用ラップを貼付することも行われている（図４）。
【０００９】
ところが褥瘡の治療に上述のようなラップ療法を用いた場合、食品用ラップを患部に当てる際に、滲出液が食品用ラップから漏出し、シーツが汚れてしまったり、老人がベッドの上で動くことによって創傷部に貼付した食品用ラップがずれたり、よれたりして、湿潤状態を保持できない場合が多い。そこで上述のような誰でもが容易に行えるラップ療法を効率的に行える治療用パッドが望まれている。
【課題を解決するための手段】
【００１０】
そこで本発明者は上記問題点に鑑み、以下のようなラップ療法で用いる治療用パッドを発明した。
【００１１】
請求項１の発明は、湿潤療法において用いる創傷部の治療用パッドであって、前記治療用パッドは、複数の孔部を備え、創傷部を湿潤状態に保持する保持層と、前記孔部を通して、前記創傷部からの滲出液を吸収する吸収層と、を備えており、前記保持層と吸収層は少なくともその縁部において固着しており、前記保持層の皮膚との接触面の一部または全部にワセリンが塗布可能である、治療用パッドである。
【００１２】
請求項２の発明は、湿潤療法において用いる創傷部の治療用パッドであって、前記治療用パッドは、複数の孔部を備え、創傷部を湿潤状態に保持する保持層と、前記孔部を通して、前記創傷部からの滲出液を吸収する吸収層と、を備えており、前記保持層と吸収層は少なくともその縁部において固着しており、前記保持層の皮膚との接触面の一部または全部にワセリンが塗布されている、治療用パッドである。
【００１３】
上述の各発明における治療用パッドを用いることによって、従来の湿潤療法、なかでもラップ療法における滲出液がラップから漏出してしまう点、ラップがずれたり、よれたりする問題点を解決することが出来る。
【００１４】
またワセリンは治療用パッドを使用する際に利用者が塗布しても良いし、予め塗布されていても良い。
【００１５】
請求項３の発明において、前記治療用パッドは、更に、前記治療用パッドを皮膚に固定させるための被覆材を備えており、前記被覆材は、前記吸収層の前記保持層と接触していない側の面において前記吸収層と固着しており、前記吸収層及び前記保持層よりも大きな大きさで、前記被覆材の前記吸収層と接触していない部分の一部または全部には、前記治療用パッドを皮膚に接着させるための粘着性物質が塗布されている、治療用パッドである。
【００１６】
本発明のように構成することで、治療用パッドを皮膚に固定する際に、医療用紙テープや包帯などを用いずとも、そのまま皮膚に固定することが出来る。
【００１７】
請求項４の発明において、前記保持層はラップまたはビニール素材のいずれかにより構成されている、治療用パッドである。
【００１８】
保持層は湿潤状態が保持できればどのような素材であっても良いが、コストなどの面から、ラップやビニール素材を用いることが好ましい。
【発明の効果】
【００１９】
本発明を用いることによって、従来のラップ療法において滲出液が漏出したり、食品用ラップがずれたり、よれたりする問題点を解決することが出来る。
【発明を実施するための最良の形態】
【００２０】
本発明の治療用パッド１では、吸収剤を備えた吸収層３、湿潤状態を保持する保持層２を備える。そして保持層２の創傷部と接触する面にはワセリン５が塗布された状態であることが好ましい。図１は吸収層３と保持層２を備えた治療用パッド１の斜視図である。また図２は保持層２にワセリン５が塗布された状態を模式的に示す治療用パッド１の斜視図である。なおワセリン５（vaseline）とは、ペトロラタム（petrolatum）の無色ないし白色のものである。また黄色ワセリン、白色ワセリン、親水ワセリンなどがある。
【００２１】
保持層２にはラップを用いることが好ましいが、ビニール素材など簡易な素材であっても良い。また保持層２には上下を貫通する複数の孔部４が設けられている。
【００２２】
吸収層３は、水分を吸収する吸収剤を備えると共に、保持層２がずれるのを防止するために、吸収層３と保持層２の少なくとも縁部が固着していることが好ましい。
【００２３】
このように使用時には皮膚に接触させる側から、ワセリン５、保持層２、吸収層３と少なくとも３層構造の治療用パッド１を構成する。図３にa-a'面の断面図を示す。創傷部からの滲出液は孔部４から吸収層３で吸収される。これによって従来のラップ療法のように、滲出液が食品用ラップから漏出し、シーツを汚してしまうこともなくなる。また保持層２と吸収層３とがその縁部によって固着されているので、ずれやすい保持層２を吸収層３が固定する。これによって従来のように寝ている場合に食品用ラップがずれてしまうこともない。
【００２４】
創傷部を本発明の治療用パッド１で被覆する際には、まず保持層２に創傷部の大きさに合わせたワセリン５を塗布する（図２）。そしてワセリン５が創傷部に接触するように、ワセリン５を塗布していない部分の保持層２が皮膚と接触するように治療用パッド１を皮膚に当てる。そして紙テープなどの医療用の貼付部材にて治療用パッド１がずれないように固定する。なお紙テープのほかに包帯を用いて固定をしても良い。
【００２５】
なお上述の説明においては、ワセリン５、保持層２、吸収層３の３層構造での使用状態を示したが、更に治療用パッド１を皮膚に貼付させるための粘着性のある被覆材６を、吸収層３を覆うように設けても良い。この状態を模式的に図５に示す。また図６には被覆材６を用いた場合の治療用パッド１の断面図を示す。
【００２６】
被覆材６の皮膚と接触する面（接触面）には医療用接着剤などの粘着性のある物質を塗布しておくことで、皮膚に接着面６ａを接着させる。これによって、紙テープや包帯等を用いずとも治療用パッド１を皮膚に固定することが出来る。
【産業上の利用可能性】
【００２７】
上述の発明を用いることによって、従来のラップ療法において滲出液が漏出したり、食品用ラップがずれたり、よれたりする問題点を解決することが出来る。
【図面の簡単な説明】
【００２８】
【図１】本発明の治療用パッドの斜視図である。
【図２】治療用パッドにワセリンを塗布した場合の斜視図である。
【図３】a-a'面の断面図である。
【図４】従来のラップ療法の際に用いる、ワセリンを塗布した食品用ラップの斜視図である。
【図５】治療用パッドに更に被覆材を設けた場合の斜視図である。
【図６】図５における断面図である。
【符号の説明】
【００２９】
１：ラップ療法に用いる治療用パッド
２：保持層
３：吸収層
４：孔部
５：ワセリン
６：被覆材
６ａ：被覆材の接着面
【図１】
2008200341.tif 000003
【図２】
2008200341.tif 000004
【図３】
2008200341.tif 000005
【図４】
2008200341.tif 000006
【図５】
2008200341.tif 000007
【図６】
2008200341.tif 000008